(57)【要約】【課題】サイドパネルに設けた二つの止着テープ同士を重なり合わせて貼り付けられるようにすること。【解決手段】股部にあてがった状態で臀部と下腹部とを覆うおむつ本体３１を設け、その固定端１３側には人体と反対側の外面に面ファスナ５１のループ面５２を取り付け、その被固定端１２側の両側には不織布を材料とするサイドパネル７１をそれぞれ設ける。左右のサイドパネル７１は、おむつ本体３１の長手方向に沿って隣接する交差可能な二つの止着テープ７２をそれぞれ先端に有し、これらの止着テープ７２は、ループ面５２に係合する面ファスナ５１のフック面５３を人体側の内面に有している。止着テープ７２の人体と反対側の外面にはフック面５３に係合力を生じさせるエンボス模様１０１を施し、互いに交差させた下側の止着テープ７２のエンボス模様１０１に、上側の止着テープ７２のフック面５３が係合するようにした。【選択図】図１
2020103575.tif 000002
【特許請求の範囲】
【請求項１】
股部にあてがった状態で臀部と下腹部とを覆うおむつ本体と、
前記おむつ本体の長手方向に沿って隣接する交差可能な二つの止着テープをそれぞれ先端に有し、前記おむつ本体の固定端側の両側にそれぞれ設けられた不織布を材料とするサイドパネルと、
前記おむつ本体の被固定端側で、人体と反対側の外面に設けられた面ファスナのループ面と、
前記止着テープの人体側の内面に設けられ、前記ループ面に係合する面ファスナのフック面と、
前記止着テープの人体と反対側の外面に設けられ、前記フック面に係合力を生じさせるエンボス模様と、
を備える使い捨ておむつ。
【請求項２】
前記エンボス模様に係合した前記フック面のせん断力は、前記ループ面に係合した前記フック面のせん断力の５０％以上である、
請求項１に記載の使い捨ておむつ。
【請求項３】
前記エンボス模様に係合した前記フック面のせん断力は、前記エンボス模様の裏面側に係合した前記フック面のせん断力の２．８倍以上である、
請求項１又は２に記載の使い捨ておむつ。
【請求項４】
前記エンボス模様は、非エンボス加工部に対するエンボス加工部の厚み比率を１０〜１４％にしている、
請求項１ないし３のいずれか一に記載の使い捨ておむつ。
【請求項５】
前記エンボス模様は、非エンボス加工部に対するエンボス加工部の面積比率を１５〜４０％にしている、
請求項１ないし４のいずれか一に記載の使い捨ておむつ。
【請求項６】
前記エンボス模様は、互いに隣接する複数本の線状模様を有している、
請求項１ないし５のいずれか一に記載の使い捨ておむつ。
【請求項７】
前記エンボス模様は、前記サイドパネルの前記止着テープ以外の領域にも設けられている、
請求項１ないし６のいずれか一に記載の使い捨ておむつ。
【請求項８】
前記サイドパネルは、前記おむつ本体の幅方向に沿って破断部を備え、
前記二つの止着テープは、前記破断部を破断した状態で交差自在となる、
請求項１ないし７のいずれか一に記載の使い捨ておむつ。
【請求項９】
股部にあてがった状態で臀部と下腹部とを覆うおむつ本体を用意する工程と、
前記おむつ本体の長手方向に沿って隣接配置される交差可能な二つの止着テープをそれぞれ先端に有する不織布を材料とする一対の部材であり、人体と反対側の外面となる位置に施されたエンボス加工によるエンボス模様を有し、前記一対の部材の互いの前記エンボス模様に係合する面ファスナのフック面が前記二つの止着テープの人体側の内面となる位置に取り付けられたサイドパネルを用意する工程と、
前記おむつ本体の固定端側の両側に位置するように、前記おむつ本体を構成する部材に前記サイドパネルを取り付ける工程と、
前記おむつ本体の被固定端側で、人体と反対側の外面に位置するように、前記おむつ本体を構成する部材に、前記フック面に係合する前記面ファスナのループ面を取り付ける工程と、
を備える使い捨ておむつの製造方法。
【請求項１０】
前記サイドパネルの材料である不織布にエンボス加工を施し、前記エンボス模様を形成する工程を備える、
請求項９に記載の使い捨ておむつの製造方法。
【請求項１１】
前記サイドパネルの材料である不織布に、前記面ファスナのフック面を取り付ける工程を備える、
請求項９又は１０に記載の使い捨ておむつの製造方法。
【請求項１２】
前記面ファスナのフック面が取り付けられた前記不織布を前記サイドパネルの形状に切断する工程を備える、
請求項９ないし１１のいずれか一に記載の使い捨ておむつの製造方法。
【発明の詳細な説明】
【技術分野】
【０００１】
本発明は、テープ式の使い捨ておむつに関する。
【背景技術】
【０００２】
特許文献１にはテープ式の使い捨ておむつが開示されている。この種の使い捨ておむつは、股部にあてがった状態で臀部と下腹部とを覆うおむつ本体を主体として、このおむつ本体の例えば臀部側に設けたサイドパネルを下腹部側に回して固定するようにしている。このときおむつとユーザの身体との間に隙間が生じないようにして、隙間からのモレを防ぐことが重要である。
【０００３】
大人用の使い捨ておむつを開発するに際しては、様々な体形のユーザを想定する必要がある。想定すべきユーザには体重３０ｋｇに満たない人もいれば８０ｋｇを超えるような人もいる。ヒップサイズも５０ｃｍ程度から１２０ｃｍを超える人まで様々であるし、太ももの太さも千差万別である。しかも拘縮などの原因から身体の左右の状態が異なるユーザにも対応できるようにしなければならない。
【０００４】
その一方で使い捨ておむつは大量生産されるのが一般的であり、Ｓ、Ｍ、Ｌ、ＬＬのようにサイズが規格化されている。このため様々な体形の人に適合させるための工夫が必要になる。実際の使い捨ておむつでは、胴回りや足回りに伸縮材を設けたりすることでおむつと身体との間に隙間が生じないようにし、隙間からのモレを防いでいる。
【０００５】
大人用に開発されたテープ式の使い捨ておむつは、左右一対のサイドパネルにそれぞれ上下二つの止着テープを設けているのが一般的である。上側の止着テープは、胴回りに隙間なくおむつ本体を密着させるために設けられ、下側の止着テープは、脚回りに隙間なくおむつ本体を密着させるために設けられている。胴回りの隙間をなくすためには、上側の止着テープを腹側から脚側に向けて斜めの方向にひっぱり、おむつ本体の下腹部に設けたターゲットゾーンに固定する。脚回りの隙間をなくすためには、下側の止着テープを脚側から腹側に向けて斜めの方向にひっぱり、上記ターゲットゾーンに固定する。
【０００６】
止着テープとターゲットゾーンとの間の固定のための手段として用いられるのは、面ファスナである。おむつ本体のターゲットゾーンに面ファスナのループ面を取り付けておき、止着テープの裏面側に設けた面ファスナのフック面をループ面に係合させることで、ターゲットゾーンに止着テープを固定する。もっとも不織布に係合しやすい特殊なフック面を用い、おむつ本体の外装部分にフック面を係合させるようにしたり、あるいは一般的なフック面と係合しやすい特殊な不織布をおむつ本体の外装部分に用いるようにしたりした使い捨ておむつもある。
【先行技術文献】
【特許文献】
【０００７】
【特許文献１】特開２０１４−０１８３８７号公報
【特許文献２】特開２００９−２４０６７９号公報
【発明の概要】
【発明が解決しようとする課題】
【０００８】
使い捨ておむつを隙間なく身体に装着しようとすると、ユーザの体形によっては、上下の止着テープの傾斜角度が不足することがある。上側の止着テープを脚側に向けてもっと傾斜させることで胴回りの隙間をなくせたり、下側の止着テープを腹側に向けてもっと傾斜させることで脚回りの隙間をなくせたりする場合である。ところが止着テープはターゲットゾーンに設けた面ファスナ、あるいはおむつ本体をなす不織布にしか貼り付けられず、止着テープ同士を重なり合わせるようにして貼り付けることはできない。
【０００９】
そこでサイドパネルにも面ファスナを設ければ、左右一対のサイドパネル同士を固定することが可能になる。つまりサイドパネルのうち、着用者の人体と反対側になる表面側に面ファスナのループ面を設け、もう一方のサイドパネルの裏面側に設けた面ファスナのフック面を係合させて固定し得るようにするわけである。ところがこの場合には材料費が高騰したり、サイドパネルが硬くなっておむつとしての快適性を低下させたりするといった不都合が生ずる。また面ファスナの分だけ止着テープの嵩が増し、ユーザの動きによって止着テープが外れやすくもなる。
【００１０】
特許文献２には、サイドパネル（文献２では「止着テープ」）にエンボス加工を施すことが開示されている。止着テープ（文献２では「つまみ部」）に設ける面ファスナと反対側の面にエンボス加工を施し、その裏面側と面ファスナとの間に弱い接着性を生じさせ、止着テープをサイドパネルに仮留めしようという内容である。この文献は、サイドパネルに施したエンボス加工の副次的な作用を利用し、左右のサイドパネルを交差して固定することも示唆している（文献２の段落［００４５］、図３参照）。エンボス加工された不織布は、面ファスナのフック面（文献２では「雄部材」）との係合が容易になるとの知見に基づく示唆である。
【００１１】
もっとも特許文献２に記載されているのは、左右のサイドパネル同士を互いに交差させて固定することであり、サイドパネルに設けた二つの止着テープ同士を交差させることではない。
【００１２】
またエンボス加工を施された不織布は表面が滑らかになり、面ファスナのフック面と係合しにくい。この点特許文献２には、エンボス加工をするためのエンボスローラに設けられたローレットエンボスについて、個々の四角錐の一辺の長さと高さとが開示されている（文献２の段落００７０参照）。しかしながらエンボス加工された不織布と面ファスナのフックとの間に十分な係合力を持たせるには、その他の各種条件を整える必要がある。特許文献２は、そのような条件を示していない。
【００１３】
本発明の課題は、サイドパネルに設けた二つの止着テープ同士を重なり合わせて貼り付けられるようにすることである。
【課題を解決するための手段】
【００１４】
本発明の使い捨ておむつは、股部にあてがった状態で臀部と下腹部とを覆うおむつ本体と、前記おむつ本体の長手方向に沿って隣接する交差可能な二つの止着テープをそれぞれ先端に有し、前記おむつ本体の固定端側の両側にそれぞれ設けられた不織布を材料とするサイドパネルと、前記おむつ本体の被固定端側で、人体と反対側の外面に設けられた面ファスナのループ面と、前記止着テープの人体側の内面に設けられ、前記ループ面に係合する面ファスナのフック面と、前記止着テープの人体と反対側の外面に設けられ、前記フック面に係合力を生じさせるエンボス模様と、を備える。
【００１５】
本発明の使い捨ておむつの製造方法は、股部にあてがった状態で臀部と下腹部とを覆うおむつ本体を用意する工程と、前記おむつ本体の長手方向に沿って隣接配置される交差可能な二つの止着テープをそれぞれ先端に有する不織布を材料とする一対の部材であり、人体と反対側の外面となる位置に施されたエンボス加工によるエンボス模様を有し、前記止着テープの人体側の内面となる位置に互いの前記エンボス模様に係合する面ファスナのフック面が取り付けられたサイドパネルを用意する工程と、前記おむつ本体の固定端側の両側に前記サイドパネルを取り付ける工程と、前記おむつ本体の被固定端側で、人体と反対側の外面に、前記フック面に係合する前記面ファスナのループ面を取り付ける工程と、を備える。
【発明の効果】
【００１６】
本発明によれば、サイドパネルに設けた二つの止着テープ同士を重なり合わせて貼り付けることができるので、ユーザの体形に合わせて使い捨ておむつを隙間なく身体にフィットさせることができる。
【図面の簡単な説明】
【００１７】
【図１】実施の一形態として、使い捨ておむつの斜視図。
【図２】外面側から見た使い捨ておむつを示す平面図。
【図３】内面側から見た使い捨ておむつを示す平面図。
【図４】サイドパネルの拡大平面図。
【図５】破断部を破断した状態を示すサイドパネルの拡大平面図。
【図６】サイドパネルに設けたエンボス模様の拡大平面図。
【図７】破断部を破断して二つの止着テープを交差させた状態を示すサイドパネルの拡大斜視図。
【図８】せん断力の試験に用いた試験装置を示す斜視図。
【発明を実施するための形態】
【００１８】
実施の一形態を図面に基づいて説明する。本実施の形態は、大人用の使い捨ておむつへの適用例である。
【００１９】
［構造］
図１〜図３に示すように、使い捨ておむつ１１は、人体の股部にあてがった状態で臀部と下腹部とを覆うおむつ本体３１を主体としている。おむつ本体３１は、臀部を覆う領域を前方に回して下腹部を覆う領域に固定することで、人体に装着するようになっている。本実施の形態では、おむつ本体３１のうち下腹部を覆う領域側の端部を被固定端１２、臀部側を覆う領域側の端部を固定端１３と呼ぶ。
【００２０】
おむつ本体３１の側面形状は、被固定端１２側の領域と固定端１３側の領域との間の中央部分が抉れたような形状をしている。中央部分の抉れた形状はレッグホールになる部分であり、人体の脚部に対するおむつ本体３１のフィット性を高める。
【００２１】
おむつ本体３１は、裏面シート３２（図２参照）と表面シート３３（図３参照）との間に吸収体３４を積層している。裏面シート３２及び表面シート３３はともに不織布によって形成されたシートである。裏面シート３２は液透過性を有さず、表面シート３３は液透過性を有している。おむつ本体３１は、吸収体３４と裏面シート３２との間に、液不透過性の防水シート３５を介在させている。防水シート３５は、例えば裏面シート３２をなす不織布に貼り付けられている。このような防水シート３５には、一例として通気性を有するものが用いられ、別の一例としては通気性を有しないものが用いられる。
【００２２】
図１及び図３に示すように、おむつ本体３１は、表面シート３３の両側にサイドシート３６を設けている。これらのサイドシート３６は、表面シート３３に貼り付けられて接合され、予め決められた間隔を開けて互いに対面している。
【００２３】
表面シート３３の側方の縁部には、糸ゴムをホットメルト接着剤で接着することによってレッグギャザー３７が形成されている。レッグギャザー３７は、脚部に対するおむつ本体３１のフィット性を高め、着用者の股間からの尿漏れを防止する。
【００２４】
おむつ本体３１の固定端１３側の縁部には、糸ゴムを用いてウエストギャザー３８が形成されている。ウエストギャザー３８は、背中側の腰部に対するおむつ本体３１のフィット性を高める。
【００２５】
サイドシート３６の先端部分には、ホットメルト接着剤を塗布した糸ゴムを挟んで折り返された立体ギャザー３９が形成されている。
【００２６】
図２及び図３は、レッグギャザー３７、ウエストギャザー３８、及び立体ギャザー３９を模式的に示している。
【００２７】
おむつ本体３１の被固定端１２に固定端１３を固定するために、本実施の形態は、面ファスナ５１を採用している。面ファスナ５１は、複数のループが密集するループ面５２と、複数のフックが密集するフック面５３とを組み合わせたもので、ループにフックを係合させてループ面５２とフック面５３とを固定する。ループ及びフックそれ自体の図示は省略する。
【００２８】
本実施の形態の使い捨ておむつ１１では、裏面シート３２をなす不織布に対して、面ファスナ５１のフック面５３は係合しない。もっとも別の一形態として、ループ面５２のみならず、裏面シート３２をなす不織布にも面ファスナ５１のフック面５３が係合するように構成してもよい。前述したとおり、裏面シート３２をなす不織布に対するフック面５３の係合は、不織布に係合しやすい特殊なフック面を用いるか、あるいは一般的なフック面と係合しやすい特殊な不織布をおむつ本体の外装部分に用いることによって実現可能である。
【００２９】
図１及び図２に示すように、おむつ本体３１は、被固定端１２側の人体と反対側の外面に、面ファスナ５１のループ面５２を設けている。ループ面５２は、被固定端１２に沿って長い矩形形状をしている。
【００３０】
図１及び図３に示すように、おむつ本体３１は、固定端１３側の両側にそれぞれサイドパネル７１を設けている。個々のサイドパネル７１は、おむつ本体３１の長手方向に沿って隣接する二つの止着テープ７２をそれぞれ先端に有している。これらの止着テープ７２はそれぞれ、人体側の内面に面ファスナ５１のフック面５３を有している。フック面５３は、止着テープ７２の幅いっぱいに拡がる大きさを有している。こうして止着テープ７２は、おむつ本体３１の被固定端１２側に設けたループ面５２にフック面５３を固定する際のつまみの役割を果たす。
【００３１】
サイドパネル７１は、不織布によって形成されている。目付３０〜１２０ｇ／ｍ２の不織布である。別の好ましい一例としては目付５０〜１００ｇ／ｍ２、より好ましい一例としては７０〜９０ｇ／ｍ２の不織布を用いてもよい。
【００３２】
面ファスナ５１のループ面５２が取り付けられる部分は、ターゲットゾーンＴＺと呼ばれている。止着テープ７２に設けたフック面５３をループ面５２に係合させる目標となる領域だからである。
【００３３】
図４に示すように、サイドパネル７１は、隣接する二つの止着テープ７２の間に、おむつ本体３１の幅方向に沿って破断部７３を設けている。破断部７３はミシン目によって形成され、人の手の力によって容易に破断可能である（図５参照）。隣接する二つの止着テープ７２は、破断部７３を破断した状態でより自由に交差させやすくなる（図７参照）。
【００３４】
サイドパネル７１は、エンボス模様１０１を有している。エンボス模様１０１が設けられているのは、サイドパネル７１の全面である。
【００３５】
図４及び図５に示すように、エンボス模様１０１は、おむつ本体３１の幅方向に沿って隣接配置された複数本の線状模様であり、エンボス加工によって形成されている。エンボス加工は、フック面５３が設けられる面と反対側の面に施される。図６に拡大して示すように、エンボス模様１０１は、波形の凹凸模様をなしている。本実施の形態では、凹状の部分をエンボス加工部１０２、凸条の部分を非エンボス加工部１０３と呼ぶ。これらのエンボス加工部１０２と非エンボス加工部１０３とは互いに隣接している。
【００３６】
もっともエンボス模様１０１は波形に限られるわけではなく、エンボス加工部１０２と非エンボス加工部１０３とが交互に隣接する波形以外の他の模様であってもよい。
【００３７】
本実施の形態では、エンボス模様１０１を有する面をエンボス面１０４（図１〜図２、図４〜図５参照）、その裏面を非エンボス面１０５（図１、図３参照）と呼ぶ。エンボス面１０４は、エンボス加工を施した面である。このため前述した通り、エンボス面１０４はフック面５３が設けられる面と反対側の面に設けられ、フック面５３は、非エンボス面１０５に設けられる。
【００３８】
面ファスナ５１のフック面５３は、エンボス面１０４に設けられたエンボス模様１０１の非エンボス加工部１０３に係合する。エンボス面１０４ほど強くはないが、非エンボス面１０５に対しても、フック面５３はわずかに係合する。エンボス面１０４と非エンボス面１０５とでは、面ファスナ５１のフック面５３の係合力という面で格段の違いがある。
【００３９】
本実施の形態では、エンボス模様１０１の各種の属性を次のように決定している。
（ａ１）エンボス模様１０１に係合したフック面５３のせん断力は、ループ面５２に係合したフック面５３のせん断力の５０％以上である。
（ａ２）エンボス模様１０１に係合したフック面５３のせん断力は、エンボス模様１０１の裏面側、つまり非エンボス面１０５に係合したフック面５３のせん断力の２．８倍以上である。
（ａ３）非エンボス加工部１０３に対するエンボス加工部１０２の厚み比率は、４〜２７％、望ましくは１０〜１４％である。
（ａ４）非エンボス加工部１０３に対するエンボス加工部１０２の面積比率は、５〜９０％、望ましくは１５〜４０％である。
【００４０】
［製造方法］
本実施の形態の使い捨ておむつ１１は、次の（１）〜（４）に示す工程を経て製造される。（１）〜（４）の各工程は、経時的な順番を示しているわけでない。
【００４１】
（１）おむつ本体を用意する工程
おむつ本体３１を用意する工程は、つぎの各工程を含んでいる。このとき他の工程を含むことも許容される。例えばおむつ本体３１の製造過程中、おむつ本体を構成する部材、例えば裏面シート３２や表面シート３３に対して、後述するサイドパネル７１や面ファスナ５１のループ面５２を取り付ける工程を含ませることも可能である。ここではそのようなサイドパネル７１や面ファスナ５１のループ面５２を取り付ける工程を捨象して、おむつ本体３１を用意する工程を説明する。
【００４２】
［サブ工程１］
吸収体３４を成型する。
【００４３】
［サブ工程２］
立体ギャザー３９を形成する。ホットメルト接着剤を塗布した糸ゴムを挟み込んでサイドシート３６の先端部分を折り返すことで、立体ギャザー３９は形成される。
【００４４】
［サブ工程３］
表面シート３３を用意し、立体ギャザー３９を取り付ける。
【００４５】
［サブ工程４］
裏面シート３２をなす不織布を用意し、防水シート３５を貼り付ける。
【００４６】
［サブ工程５］
ウエストギャザー３８を形成する。ホットメルト接着剤を塗布した糸ゴムをフィルムと不織布とで挟み込むことで、ウエストギャザー３８は形成される。
【００４７】
［サブ工程６］
防水シート３５を貼り付けた裏面シート３２に、ウエストギャザー３８を貼り付ける。
【００４８】
［サブ工程７］
レッグギャザー３７を形成する。防水シート３５を貼り付けた裏面シート３２の脚回りの部分にホットメルト接着剤を塗布した糸ゴムを貼り付けることで、レッグギャザー３７は成形される。
【００４９】
［サブ工程８］
サブ工程１で成型した吸収体３４を介在させて、サブ工程２〜３を経た表面シート３３とサブ工程４〜７を経た裏面シート３２とを貼り合わせる。
【００５０】
［サブ工程９］
サブ工程８の後、レッグホールを形成する。この工程では、吸収体３４を挟んで貼り合わせた裏面シート３２と表面シート３３との側部をレッグホールカッタで切断する。切断箇所に、レッグギャザー３７を側部に有するレッグホールが形成されている。
【００５１】
こうしておむつ本体３１が完成する。
もっともおむつ本体３１は、サイドパネル７１を一体的に結合し、面ファスナ５１のループ面５２を取り付けたものであるため、サイドパネル７１及びループ面５２なしに完成するわけではない。
【００５２】
（２）サイドパネルを用意する工程
サイドパネル７１を用意する工程は、つぎの各工程を含んでいる。
【００５３】
［サブ工程１］
一面側にエンボス加工を施された不織布を用意する。このような不織布は、いずこから調達しても、自ら製造してもいずれでもよい。エンボス加工された不織布は、例えばつぎのようにして製造される。
【００５４】
エンボス模様１０１は、エンボス加工によって形成される。この場合のエンボス加工は、表面が平滑に仕上げられたスムースローラと、表面に凹凸状の模様が施されたエンボスローラとの間に被加工物を挟み込み、加熱と加圧の作用で被加工物の一面にエンボス模様を生じさせる加工方法である。エンボスローラの凹凸模様が転写されて被加工物にエンボス模様が形成される。
【００５５】
そこでサイドパネル７１をなす不織布をスムースローラとエンボスローラとの間に挟み込み、両ローラを加熱しながら回転させる。これによってエンボスローラに施された模様が不織布に転写され、その一面にエンボス模様１０１が形成される。
【００５６】
こうしてエンボス模様１０１を形成するのは、サイドパネル７１中、人体と反対側になる外面側である。本実施の形態ではサイドパネル７１の全面にエンボス模様１０１を形成する一例を示したが、少なくとも止着テープ７２の一部にエンボス模様１０１が形成されていればよい。エンボス加工は、意図するエンボス模様１０１に合わせて適宜不織布に施す。
【００５７】
［サブ工程２］
エンボス加工を施された不織布に、面ファスナ５１のフック面５３を取り付ける。フック面５３は、一対のサイドパネル７１に二つずつ設けられる止着テープ７２のそれぞれに取り付けられるように、取り付け位置を調整される。フック面５３が取り付けられるのは、人体側に位置づけられる内面となる側、つまりエンボス模様１０１が設けられていない側の面である。
【００５８】
［サブ工程３］
面ファスナ５１のフック面５３を取り付けた不織布を切断し、サイドパネル７１の形状に整える。この際、破断部７３も同時に、あるいは別途作製する。このようなサイドパネル７１は、左右一対分を製造する。こうしてフック面５３が取り付けられた破断部７３を有するサイドパネル７１が得られる。
【００５９】
（３）サイドパネルを取り付ける工程
おむつ本体３１にサイドパネル７１を取り付ける。取り付け箇所は、おむつ本体３１の固定端１３側の両側となる位置である。サイドパネル７１の取り付けは、一例として、上記「（１）おむつ本体を用意する工程」中のサブ工程３で、立体ギャザー３９の取り付けに前後して、表面シート３３に対して行う。
【００６０】
（４）面ファスナのループ面を取り付ける工程
おむつ本体３１に面ファスナ５１のループ面５２を取り付ける。取り付け位置は、被固定端１２側の端部であって、人体と反対側に位置づけられる外面である。ループ面５２の取り付けは、一例として、「（１）おむつ本体を用意する工程」のサブ工程６で、ウエストギャザー３８の取り付けに前後して、防水シート３５を貼り付けた裏面シート３２に対して行う。
【００６１】
以上の（１）〜（４）の工程により、使い捨ておむつ１１が完成する。
【００６２】
［作用効果］
使い捨ておむつ１１を人体に装着するには、おむつ本体３１の表面シート３３側を股部にあてがった状態で被固定端１２側のおむつ本体３１を下腹部にあて、臀部を覆う固定端１３側のおむつ本体３１を前方に持ってきて被固定端１２に固定する。固定には面ファスナ５１を利用する。つまり左右のサイドパネル７１にそれぞれ設けられた二つの止着テープ７２を指でつまみ、ターゲットゾーンＴＺに設けられた面ファスナ５１のループ面５２に、止着テープ７２に設けられた面ファスナ５１のフック面５３を押し付ける。これによってループ面５２にフック面５３が係合して両者が固定され、使い捨ておむつ１１が人体に装着される。
【００６３】
人体に対するフィット感を増すためには、上側の止着テープ７２を脚部に向けて傾斜させたり、下側の止着テープ７２を腹部に向けて傾斜させたりした方がよい場合がある。上側の止着テープ７２を脚部に向けて傾斜させることで胴回りの隙間がなくなったり、下側の止着テープ７２を腹部に向けて傾斜させることで脚まわりの隙間がなくなったりすることがあるからである。
【００６４】
ユーザの体形によっては、上下の止着テープ７２の傾斜角度が深まり、交差させた状態で初めて良好なフィット感が得られる場合がある。このときより自由に上下二つの止着テープ７２を交差させるには、破断部７３を破断すればよい。これによって二つの止着テープ７２を大きく交差させた重ね貼りをすることができる。
【００６５】
図７に示すように、二つの止着テープ７２を重ね貼りした際、下側の止着テープ７２はターゲットゾーンＴＺに面ファスナ５１で固定される。その上から重ね貼りする止着テープ７２は、下側の止着テープ７２の表面側に施されたエンボス模様１０１に対して、フック面５３が係合することによって固定される。こうして二つの止着テープ７２を支障なく重ね貼りすることができる。したがって隙間なく身体にフィットさせることができるユーザの体形の許容度が増し、より多くのユーザに良好なフィット感を与えることができる。
【００６６】
本実施の形態によれば、ターゲットゾーンＴＺに固定した下側の止着テープ７２に対して、その上から重ね貼りした止着テープ７２を十分な強度で固定することができる。その要因となるのは、主につぎに示す（Ｇ１）〜（Ｇ６）の構成である。
（Ｇ１）エンボス模様１０１に係合したフック面５３が有するフックのせん断力を、ループ面５２に係合したフック面５３のせん断力の５０％以上にしていること。
（Ｇ２）エンボス模様１０１に係合したフック面５３のせん断力を、エンボス模様１０１の裏面側、つまり非エンボス面１０５に係合したフック面５３のせん断力の２．８倍以上にしていること。
（Ｇ３）エンボス模様１０１は、非エンボス加工部１０３に対するエンボス加工部１０２の厚み比率を４〜２７％、望ましくは１０〜１４％にしていること。
（Ｇ４）エンボス模様１０１は、非エンボス加工部１０３に対するエンボス加工部１０２の面積比率を５〜９０％、望ましくは１５〜４０％にしていること。
（Ｇ５）エンボス模様１０１は、互いに隣接する複数本の線状模様を有していること。
（Ｇ６）エンボス模様１０１は、サイドパネル７１の止着テープ７２以外の領域にも設けられていること。
【００６７】
［変形例］
実施に際しては、各種の変形や変更が許容される。
【００６８】
例えばエンボス模様１０１が設けられている領域は、必ずしもサイドパネル７１の全面でなくてもよい。エンボス模様１０１は、少なくとも止着テープ７２の人体と反対側になる面に設けられていればよいし、この場合も、サイドパネル７１の一部の領域にエンボス模様１０１が及んでいる態様であってもよい。
【００６９】
その他実施に際しては、あらゆる変形や変更が許容される。
【実施例】
【００７０】
１．せん断力
図８に例示するような試験装置を製作し、重ね貼りした止着テープ７２に十分な固定強度が得られたことを実験によって検証した。この試験装置は、机２０１の上に被検面２０２を有する被検材２０３を載置し、端部に錘２０４を着脱自在に取り付けた不織布からなるベルト２０５を設け、ベルト２０５の反対側の端部に面ファスナ５１のフック面５３を有するフックテープ２０６を固定する。そしてフック面５３を被検面２０２に係合させる、という簡易な装置である。
【００７１】
つぎのような条件で実験を行った。
【００７２】
被検面２０２として用意したのは、
・面ファスナのループ面
・上記実施の形態で紹介した不織布（サイドパネル７１）のエンボス面１０４
・同非エンボス面１０５
・エンボス加工していない不織布
の四種類である。
【００７３】
フックテープ２０６は幅２５ｍｍ、長さ２８ｍｍの大きさにした。これを被検面２０２の上に荷重をかけずに載せ、１Ｋｇの錘２０４で２秒間荷重をかけて被検面２０２にフック面５３を係合させた。
【００７４】
その後ベルト２０５から錘２０４を取り外し、被検面２０２にフック面５３が係合している状態のまま引張圧縮試験機にセットし、被検面２０２とフック面５３とをともに垂直の向きで引っ張り係合力を測定した。１８０°ピール試験である。
【００７５】
使用した引張圧縮試験機、及びチャックスピードはそれぞれ、
・引張圧縮試験器  ：株式会社今田製作所  ＳＶ−５５Ｃ−２０Ｈ
・チャックスピード：２４０ｍｍ／分
である。
【００７６】
実験結果を表１に示す。
表１中に示す数値は実験結果で、せん断力（単位：Ｎ／２５ｍｍ）を示している。
【００７７】
【表１】
2020103575.tif 000003
【００７８】
非エンボス面１０５とエンボス加工していない不織布については、測定をすることができなかった。フック面５３に仮係合させ、１Ｋｇの錘２０４を取り付けて荷重をかけた段階でフック面５３から剥離してしまったからである。そこで非エンボス面１０５とフック面５３、エンボス加工していない不織布とフック面５３との間のせん断力は、１Ｋｇｆ（９．７Ｎ）以下であると推測される。
【００７９】
エンボス面１０４については、表１に示す実験結果から、通常の面ファスナ５１のループ面５２との比較で５０％以上のせん断力が発生したことがわかる。
【００８０】
こうして通常の面ファスナ５１のループ面５２との比較で、５０％以上のせん断力を得た場合、それが使い捨ておむつ１１の装着時、互いに隣接する二つの止着テープ７２を交差させて貼り付けるという目的を達成する上で、十分なせん断力であるのかどうかが問題となる。そこでこの出願の発明者等は、官能試験を行った。
【００８１】
官能試験は、実施の形態で説明したサイドパネル７１と同様のものを用意し、その止着テープ７２に設けた面ファスナ５１のフック面５３を四種類の異なる面に貼り付けて実施した。フック面５３を貼り付けた面は、
（イ）エンボス加工していない不織布
（ロ）別のサイドパネル７１に設けたエンボス模様１０１と反対側の面
（ハ）別のサイドパネル７１に設けたエンボス模様１０１の面
（ニ）実施の形態で説明した面ファスナ５１のループ面５２と同様のもの
である。上記（ロ）（ハ）については、サイドパネル７１と同様のものをもう一つ用意して、その止着テープ７２に設けたエンボス模様１０１と反対側の面、及びエンボス模様１０１の面をそれぞれ利用した。
【００８２】
官能試験は、面ファスナ５１のフック面５３を上記各面に貼り付け、互いに横方向、つまりせん断方向に引っ張ることによって実施した。このとき被験者には、１から５までの段階でせん断力を評価してもらった。評価１はせん断力が最も弱く、評価５はせん断力が最も強い評価である。
【００８３】
官能試験の結果を表２に示す。
上記（イ）のエンボス加工していない不織布と上記（ロ）の非エンボス面とについては、評価１という結果である。これに対して上記（ニ）の面ファスナ５１のループ面５２については、評価５となった。換言すると、（イ）（ロ）を評価１、（ニ）を評価５としたとき、人は上記（ロ）のエンボス面、つまりエンボス模様１０１を有する面に対するフック面５３のせん断力をどの程度であると感じるのか、というのが本官能試験の目的となる。
結果は評価３であった。
平易に表現すると、ほとんどくっつかない（イ）（ロ）と、強力にくっつく（ニ）との中間程度に感じられたという結果である。
【００８４】
【表２】
2020103575.tif 000004
【００８５】
以上の官能試験の結果から、表１に示す通常の面ファスナ５１のループ面５２との比較で５０％以上のせん断力という計測数値は、使い捨ておむつ１１の装着時、互いに隣接する二つの止着テープ７２を交差させて貼り付けるという目的を達成するためには、十分なせん断力であるといえる。
【００８６】
エンボス面１０４と非エンボス面１０５との実験結果を比較する。前述したように、非エンボス面１０５のせん断力は９．７Ｎ以下であると推測される。仮に９．７Ｎであると仮定すると、エンボス面１０４の平均値は２７．１Ｎなので、
２７．１Ｎ／９．７Ｎ＝２．８
となる。よってエンボス面１０４のせん断力は、非エンボス面１０５のせん断力の２．８倍以上となる。
【００８７】
この実験結果から、ターゲットゾーンＴＺに固定した下側の止着テープ７２に対して、その上から重ね貼りした止着テープ７２を十分な強度で固定することができることを根拠づける上記Ｇ１及びＧ２の要因の正しさが検証された。
【００８８】
２．エンボス加工部と非エンボス加工部との厚み比率
デジタルマイクロスコープを用いて、エンボス加工部１０２と非エンボス加工部１０３との厚みを測定した。使用した機器及びソフトウエアは、
・使用機器  ：株式会社オプトサイエンス社  Dino-Lite Pro
Polarizer
・使用ソフト：DinoCapture2.0
である。
【００８９】
測定結果を表３に示す。
いずれも６０倍の倍率で測定した結果である。エンボス加工部１０２は厚さ０．０８８〜０．１０３ｍｍ（平均０．０９４ｍｍ）、非エンボス加工部１０３は厚さ０．７７７〜０．９０１ｍｍ（平均０．８５０ｍｍ）という結果が得られた。
【００９０】
【表３】
2020103575.tif 000005
【００９１】
この測定結果から明らかなように、エンボス模様１０１は、非エンボス加工部１０３に対するエンボス加工部１０２の厚み比率を１０〜１４％にしている。
【００９２】
よってターゲットゾーンＴＺに固定した下側の止着テープ７２に対して、その上から重ね貼りした止着テープ７２を十分な強度で固定することができることを根拠づける上記Ｇ３の要因の正しさが検証された。
【００９３】
３．エンボス加工部と非エンボス加工部との面積比率
上記実験及び測定は、エンボス加工部１０２の幅が１．０ｍｍ、非エンボス加工部１０３の幅が３．０ｍｍに設定されたエンボス模様１０１を有するエンボス面１０４を用いて行なった。よって非エンボス加工部１０３に対するエンボス加工部１０２の面積比率は、３３．３３３……％である。
【００９４】
上記Ｇ１〜Ｇ３の要因の正しさが検証されたのであるから、非エンボス加工部１０３に対するエンボス加工部１０２の面積比率３３．３３３……％という値は、上記Ｇ４の要因の正しさも立証することになる。
【符号の説明】
【００９５】
１１  使い捨ておむつ
１２  被固定端
１３  固定端
３１  おむつ本体
３２  裏面シート
３３  表面シート
３４  吸収体
３５  防水シート
３６  サイドシート
３７  レッグギャザー
３８  ウエストギャザー
３９  立体ギャザー
５１  面ファスナ
５２  ループ面
５３  フック面
７１  サイドパネル
７２  止着テープ
７３  破断部
１０１  エンボス模様
１０２  エンボス加工部
１０３  非エンボス加工部
１０４  エンボス面
１０５  非エンボス面
２０１  机
２０２  被検面
２０３  被検材
２０４  錘
２０５  ベルト
２０６  フックテープ
ＴＺ  ターゲットゾーン
【図１】
2020103575.tif 000006
【図２】
2020103575.tif 000007
【図３】
2020103575.tif 000008
【図４】
2020103575.tif 000009
【図５】
2020103575.tif 000010
【図６】
2020103575.tif 000011
【図７】
2020103575.tif 000012
【図８】
2020103575.tif 000013